【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
ビデオカメラの遠隔制御システムであって、
撮影方向及び／または撮影画角を遠隔制御されるビデオカメラと、
情報通信網を介して接続された複数のパーソナルコンピュータとを有し、
上記ビデオカメラの遠隔制御は、上記パーソナルコンピュータのディスプレイ上の表示の位置を使用者が操作することによってなされ、
上記表示を互いに異なるものにしておくことによって、行われた操作が自己によるものであるか、他の使用者によるものであるかを使用者が把握することができる
ことを特徴とするビデオカメラの遠隔制御システム。
【請求項２】
ビデオカメラの遠隔制御方法であって、
撮影方向及び／または撮影画角を遠隔制御されるビデオカメラに対して、
情報通信網を介して接続された複数のパーソナルコンピュータから遠隔制御を行い、
上記ビデオカメラの遠隔制御は、上記パーソナルコンピュータのディスプレイ上の表示の位置を使用者が操作することによってなされると共に、
上記表示を互いに異なるものにしておくことによって、行われた操作が自己によるものであるか、他の使用者によるものであるかを使用者が把握することができる
ことを特徴とするビデオカメラの遠隔制御方法。
【請求項３】
ビデオカメラを遠隔制御して撮影を行う撮影装置であって、
撮影方向及び／または撮影画角を遠隔制御されるビデオカメラと、
情報通信網を介して接続された複数のパーソナルコンピュータとを有し、
上記ビデオカメラの遠隔制御を、上記パーソナルコンピュータのディスプレイ上の表示の位置を使用者が操作することによってなし、
上記表示を互いに異なるものにしておくことによって、行われた操作が自己によるものであるか、他の使用者によるものであるかを使用者が把握することができる
ことを特徴とする撮影装置。
【請求項４】
ビデオカメラを遠隔制御して撮影を行う撮影方法であって、
撮影方向及び／または撮影画角を遠隔制御されるビデオカメラに対して、
情報通信網を介して接続された複数のパーソナルコンピュータから遠隔制御を行い、
上記ビデオカメラの遠隔制御は、上記パーソナルコンピュータのディスプレイ上の表示の位置を使用者が操作することによってなされると共に、
上記表示を互いに異なるものにしておくことによって、行われた操作が自己によるものであるか、他の使用者によるものであるかを使用者が把握することができる
ことを特徴とする撮影方法。
【手続補正２】
【補正対象書類名】明細書
【補正対象項目名】発明の名称
【補正方法】変更
【補正の内容】
【発明の名称】ビデオカメラの遠隔制御システム、ビデオカメラの遠隔制御方法、撮影装置及び撮影方法
【手続補正３】
【補正対象書類名】明細書
【補正対象項目名】０００１
【補正方法】変更
【補正の内容】
【０００１】
本発明は、例えばビデオカメラの撮影方向及び／または撮影画角の遠隔制御を行う際に使用して好適なビデオカメラの遠隔制御システム、ビデオカメラの遠隔制御方法、撮影装置及び撮影方法に関するものである。
【手続補正４】
【補正対象書類名】明細書
【補正対象項目名】００１４
【補正方法】変更
【補正の内容】
【００１４】
請求項１の発明によれば、ビデオカメラの遠隔制御をパーソナルコンピュータのディスプレイ上の表示の位置を使用者が操作することによってなし、表示を互いに異なるものにしておくことによって、行われた操作が自己によるものであるか、他の使用者によるものであるかを使用者が容易に把握することのできるビデオカメラの遠隔制御システムを提供することができる。
【手続補正５】
【補正対象書類名】明細書
【補正対象項目名】００１５
【補正方法】変更
【補正の内容】
【００１５】
また、請求項２の発明によれば、ビデオカメラの遠隔制御をパーソナルコンピュータのディスプレイ上の表示の位置を使用者が操作することによってなすと共に、表示を互いに異なるものにしておくことによって、行われた操作が自己によるものであるか、他の使用者によるものであるかを使用者が容易に把握することのできるビデオカメラの遠隔制御方法を提供することができる。
【手続補正６】
【補正対象書類名】明細書
【補正対象項目名】００１６
【補正方法】変更
【補正の内容】
【００１６】
さらに請求項３の発明によれば、ビデオカメラの遠隔制御をパーソナルコンピュータのディスプレイ上の表示の位置を使用者が操作することによってなし、表示を互いに異なるものにしておくことによって、行われた操作が自己によるものであるか、他の使用者によるものであるかを使用者が容易に把握することができる撮影装置を提供することができる。
【手続補正７】
【補正対象書類名】明細書
【補正対象項目名】００１７
【補正方法】変更
【補正の内容】
【００１７】
さらに請求項４の発明によれば、ビデオカメラの遠隔制御をパーソナルコンピュータのディスプレイ上の表示の位置を使用者が操作することによってなすと共に、表示を互いに異なるものにしておくことによって、行われた操作が自己によるものであるか、他の使用者によるものであるかを使用者が容易に把握することのできる撮影方法を提供することができる。
【手続補正８】
【補正対象書類名】明細書
【補正対象項目名】００１８
【補正方法】変更
【補正の内容】
【００１８】
以下、図面を参照して本発明を説明するに、図１は本発明のビデオカメラの遠隔制御システム、ビデオカメラの遠隔制御方法、撮影装置及び撮影方法に適用される情報表示方法による表示の一例の構成を示す線図である。
【手続補正９】
【補正対象書類名】明細書
【補正対象項目名】００１９
【補正方法】変更
【補正の内容】
【００１９】
この図１はその情報表示方法による表示の第１の実施形態に対応するものであって、図１のＡでは、スクロールバーＢを上下に分割して、そのそれぞれにスライダＳ１、Ｓ２を設けた場合の表示の例を示す。また、図１のＢでは、２つのスライダＳ１、Ｓ２を重ねて設けた場合の表示の例を示す。そしてこれらの表示において、例えばスライダＳ１が情報の現在値を表示し、スライダＳ２が情報の目標値を示すものである。
【手続補正１０】
【補正対象書類名】明細書
【補正対象項目名】００２２
【補正方法】変更
【補正の内容】
【００２２】
従ってこの第１の実施形態の方法において、スクロールバーに複数のスライダを設けて、少なくとも情報の現在値と目標値が表示されることによって、例えば制御の途中の現在値や使用者が設定した目標値を容易に確認することができ、また制御対象の状況の把握も容易になり、使用者に無用な混乱を与える恐れが解消されると共に、制御の完了なども明示することができるものである。
【手続補正１１】
【補正対象書類名】明細書
【補正対象項目名】００２３
【補正方法】変更
【補正の内容】
【００２３】
さらに図３は第２の実施形態に対応するものであって、ここでは上述の図１のＡの表示を用いた場合における動作の例を示している。そして図３のＡでは、制御は停止されており、現在値のスライダＳ１のみが表示されて、目標値のスライダＳ２の表示は消去されている。
【手続補正１２】
【補正対象書類名】明細書
【補正対象項目名】００２７
【補正方法】変更
【補正の内容】
【００２７】
また、図４も第２の実施形態に対応するものであって、ここでは上述の図１のＢの表示を用いた場合における動作の例を示している。そして図４のＡでは、制御は停止されており、現在値のスライダＳ１のみが表示されて、目標値のスライダＳ２の表示は消去されている。
【手続補正１３】
【補正対象書類名】明細書
【補正対象項目名】００３０
【補正方法】変更
【補正の内容】
【００３０】
従ってこの第２の実施形態の方法においては、目標値を表示するスライダが目標値の設定された時点から現在値が目標値に一致するまでの間のみ表示されることによって、例えば情報の現在値が目標値に達して制御が完了したことが一層明瞭に表示され、使用者に無用な混乱を与える恐れがさらに解消されるものである。
【手続補正１４】
【補正対象書類名】明細書
【補正対象項目名】００３１
【補正方法】変更
【補正の内容】
【００３１】
ところで、いわゆるインターネット等の情報通信網を用いて、例えば遠隔地に設置されたビデオカメラで撮影された画像を観視しながら、ビデオカメラの撮影方向及び／または撮影画角等を遠隔制御して、所望の画像の観視を行うシステムが提案されている。そこで図５は、本発明によるビデオカメラの遠隔制御システム、ビデオカメラの遠隔制御方法、撮影装置及び撮影方法を実現するためのシステムの一例の構成を示す図面である。
【手続補正１５】
【補正対象書類名】明細書
【補正対象項目名】００３６
【補正方法】変更
【補正の内容】
【００３６】
すなわち図６は、本発明のビデオカメラの遠隔制御システム、ビデオカメラの遠隔制御方法、撮影装置及び撮影方法に適用される情報表示方法による表示の第３及び第４の実施形態に対応するものであって、ここでは上述の図１のＢの表示を用いた場合における動作の例を示している。そして図６のＡでは、制御は停止されており、現在値のスライダＳ１のみが表示されて、目標値のスライダＳ２の表示は消去されている。
【手続補正１６】
【補正対象書類名】明細書
【補正対象項目名】００４９
【補正方法】変更
【補正の内容】
【００４９】
従ってこの第３及び第４の実施形態の方法においては、複数の使用者による操作が行われた場合に、自己である使用者のディスプレイにも、他の使用者の操作によるスライダが表示されることによって、自己である使用者は、他の使用者が操作を行っていることを知ることができ、使用者に無用な混乱を与える恐れを解消することができるものである。
【手続補正１７】
【補正対象書類名】明細書
【補正対象項目名】００５４
【補正方法】変更
【補正の内容】
【００５４】
【図１】本発明のビデオカメラの遠隔制御システム、ビデオカメラの遠隔制御方法、撮影装置及び撮影方法に適用される情報表示方法の一例の構成図である。
【図２】その動作の説明のための図である。
【図３】その動作の説明のための図である。
【図４】その動作の説明のための図である。
【図５】本発明によるビデオカメラの遠隔制御システム、ビデオカメラの遠隔制御方法、撮影装置及び撮影方法を実現するためのシステムの一例の構成を示す図である。
【図６】それに適用される情報表示方法の他の例の動作の説明のための図である。
【図７】その動作の説明のための図である。
【図８】その動作の説明のための図である。
【図９】従来の情報表示方法の説明のための図である。
【図１０】従来の情報表示方法の説明のための図である。
【手続補正１８】
【補正対象書類名】明細書
【補正対象項目名】００５５
【補正方法】変更
【補正の内容】
【００５５】
Ｂ…スクロールバー、Ｓ１，Ｓ２，Ｓ３…スライダ、１…ビデオカメラ、２…ワークステーション（コンピュータ）、３…インターネット、４ａ，４ｂ…パーソナルコンピュータ、５ａ，５ｂ…モニターディスプレイ